(57)【特許請求の範囲】
【請求項１】
テープが巻装されたリールを収容する本体ケースと、前記本体ケースの前部に配置されてテープを案内支持する左右一対のテープガイドと、前記テープガイドの間に設けられるテープローディング用のポケットとを備えており、
前記テープガイドの上端面に上ケースの前縁壁が接当しているテープカートリッジであって、
前記テープガイドの上端面と前記前縁壁との接合隙間に隣接して、前記テープが前記接合隙間に入り込むのを防ぐ規制体が設けてあることを特徴とするテープカートリッジ。
【請求項２】
前記本体ケースが、前記前縁壁を一体に備えた上ケースと、前記テープガイドを一体に備えた下ケースとで構成されており、
前記テープガイドの上端面に前記規制体が突設してある請求項１記載のテープカートリッジ。
【請求項３】
前記本体ケースが、前記前縁壁を一体に備えた上ケースと、前記テープガイドを一体に備えた下ケースとで構成されており、
前記前縁壁の側部に前記規制体が一体に形成されて、前記規制体の下部が、前記テープガイドの上端面に凹み形成した溝に嵌め込んである請求項１記載のテープカートリッジ。
【請求項４】
前記本体ケースが、前記前縁壁を一体に備えた上ケースと、前記テープガイドを一体に備えた下ケースとで構成されており、
前記前縁壁の下部に前記規制体が一体に形成されて、前記規制体が前記テープガイドの上端面に形成した凹部に嵌め込んである請求項１記載のテープカートリッジ。
【発明の詳細な説明】
【技術分野】
【０００１】
本発明は、テープガイドの上端面に上ケースの前縁壁が接当している構造のテープカートリッジに関する。
【背景技術】
【０００２】
この種のテープカートリッジの基本構造は、例えば特許文献１に公知である。そこでは、テープカートリッジが不使用状態にあるとき、テープガイドに案内されてポケットの前面を横切るテープを保護するために、本体ケースの前部に保護蓋を設けている。保護蓋は、テープの前面側を覆う前蓋と、ポケットおよびテープの上面側を覆う上蓋と、テープの後面および下面側を覆う裏蓋とで構成してある。従来のこの種のテープカートリッジにおいては、図６および図７に示すように、テープガイド４０の上端面４１に上ケース４２の前縁壁４３が接当する構造になっていた。符号４４はテープガイド４０で案内されるテープ、４５はポケット、４６は裏蓋のガイド溝である。
【０００３】
本発明に関して、テープガイドの上端面に接当する上ケースの前縁壁に、テープの移動を規制するリブを設けることが特許文献２に公知である。先のリブは、上ケースの前縁壁に連続して、テープガイドの前縁より前方へ突出してあり、テープがテープガイドに沿って上方へ移動するのを規制している。これにより、テープカートリッジが落下衝撃を受けるような場合に、前蓋とテープガイドの上面のエッジ部分との間にテープが挟まれるのを防止し、テープの損傷を防いでいる。
【０００４】
【特許文献１】特開平０７−１４１８３２号公報（段落番号０００９、図５）
【特許文献２】特開平１１−３１２３７５号公報（段落番号００２１、図２）
【発明の開示】
【発明が解決しようとする課題】
【０００５】
特許文献１・２において保護蓋を構成する前蓋、上蓋、および裏蓋は、それぞれプラスチック成形品で構成してあり絶縁性を備えている。そのため、テープカートリッジを取り扱う際に他の絶縁体と擦れあって保護蓋の表面に静電気が発生し、テープローディング時に問題を生じることがある。例えば、リールロックがロック解除操作されてポケットの前面を横切るテープが弛んだ状態において、帯電した静電気によってテープが吸着されて前蓋の内面に貼り付くことがある。さらに、前蓋が開放移動するとき、内面に貼り付いたテープが上向きに引き出され、図６および図７におけるテープガイド４０の上端面４１と上ケース４２の前縁壁４３との間の隙間にテープ４４の上縁が入り込むことがある。このように、テープの一部が隙間に挟み込まれてしまうと、テープ面に折り傷が付くのはもちろん、テープドライブ側のドラムやガイドローラーなどにテープが引っ掛かってジャミング状態に陥り、重大な機器故障を誘発するおそれがある。テープ４４が切断することもある。
【０００６】
因みに、特許文献２のテープカートリッジに見られるように、テープガイドの上端面にリブが庇状に張り出した状態で設けてあると、テープの上方移動を規制できる。しかし、テープは左右のテープガイドの中央部付近で前蓋に貼り付く傾向がある。そのため、貼り付いた状態のテープが前蓋に同行して開放揺動するとき、テープの上縁がリブにガイドされて、テープガイドの上端面と上ケースの前縁壁との間の隙間に入り込むおそれがあり、テープの傷付きを防止できない。
【０００７】
本発明の目的は、静電気の作用で保護蓋に貼り付いたテープが、保護蓋の開放時にテープガイドと上ケースとの間の隙間に入り込むのを確実に防止して、テープの傷付きやジャミングなどのテープ異常を確実に防止できるテープカートリッジを提供することにある。
【課題を解決するための手段】
【０００８】
本発明のテープカートリッジは、テープ２が巻装されたリール３を収容する本体ケース１と、本体ケース１の前部に配置されてテープ２を案内支持する左右一対のテープガイド５・５と、テープガイド５・５の間に設けられるテープローディング用のポケット６とを備えている。テープガイド５・５の上端面には上ケース１ａの前縁壁２２が接当している。以て、テープガイド５の上端面と前縁壁２２との接合隙間Ｅに隣接して、テープ２が接合隙間Ｅに入り込むのを防ぐ規制体２４が設けてあることを特徴とする。
【０００９】
本体ケース１は、前縁壁２２を一体に備えた上ケース１ａと、テープガイド５を一体に備えた下ケース１ｂとで構成する。テープガイド５の上端面に規制体２４を突設する。
【００１０】
本体ケース１は、前縁壁２２を一体に備えた上ケース１ａと、テープガイド５を一体に備えた下ケース１ｂとで構成する。前縁壁２２の側部に規制体２４を一体に形成し、規制体２４の下部をテープガイド５の上端面に凹み形成した溝２５に嵌め込む。
【００１１】
本体ケース１は、前縁壁２２を一体に備えた上ケース１ａと、テープガイド５を一体に備えた下ケース１ｂとで構成する。前縁壁２２の下部に規制体２４を一体に形成し、規制体２４をテープガイド５の上端面に形成した凹部２６に嵌め込む。
【発明の効果】
【００１２】
本発明では、テープガイド５・５の上端面に上ケース１ａの前縁壁２２が接当しているテープカートリッジにおいて、テープガイド５の上端面と前縁壁２２との接合隙間Ｅに隣接して規制体２４を設けるようにした。これにより、静電気の作用で保護蓋７の前壁１２に貼り付いたテープ２が、保護蓋７の開放揺動に同行して上向きに引き出されるとき、テープ２の上縁を規制体２４で受け止めて、テープ２が接合隙間Ｅに入り込むのを防止できる。したがって、本発明によれば、保護蓋７の開放時にテープ２がテープガイド５と前縁壁２２と接合隙間Ｅに入り込むのを確実に防止して、テープ面の傷付きやジャミングなどのテープ異常を確実に防止できるテープカートリッジを提供できる。
【００１３】
前縁壁２２を一体に備えた上ケース１ａと、テープガイド５を一体に備えた下ケース１ｂとで本体ケース１を構成し、テープガイド５の上端面に規制体２４を突設すると、下ケース１ｂの成形時に規制体２４を同時に形成できるので、規制体２４をテープガイド５に組み付ける手間を省略できる。さらに、下ケース１ｂを成形するための既存の金型に追加工を施すことで規制体２４を形成でき、全体として規制体２４を備えた本体ケース１をより低コストで得ることができる。
【００１４】
上記と同様に上ケース１ａと下ケース１ｂとで本体ケース１を構成し、前縁壁２２の側部に形成した規制体２４の下部を、テープガイド５の上端面に凹み形成した溝２５に嵌め込むようにすると、接合隙間Ｅを上下方向の隙間として形成できるので、テープ２が接合隙間Ｅに入り込む余地がなく、したがってテープ面の傷付きやジャミングなどのテープ異常をさらに確実に防止できる。
【００１５】
上記と同様に上ケース１ａと下ケース１ｂとで本体ケース１を構成し、前縁壁２２の下部に形成した規制体２４をテープガイド５の上端面に形成した凹部２６に嵌め込むようにすると、接合隙間Ｅを上下方向の隙間として形成できるので、テープ２が接合隙間Ｅに入り込む余地がなく、したがってテープ面の傷付きやジャミングなどのテープ異常をさらに確実に防止できる。
【発明を実施するための最良の形態】
【００１６】
（実施例）  図１ないし図５は本発明を業務用のビデオテープカートリッジに適用した実施例を示す。図２において、テープカートリッジは、本体ケース１の内部にテープ２を巻き取る左右一対のリール３・３を配置して構成してある。一方のリール３から引き出されたテープ２は、本体ケース１の前面左右のテープガイド５で案内されて、他方のリール３に巻き取られる。左右一対のテープガイド５の間には、テープローディング用のポケット６が設けてある。なお、本発明においては、図１に示す十字線と前後左右の各表示に従って前後、および左右を説明する。
【００１７】
本体ケース１は、上ケース１ａと下ケース１ｂを蓋合わせ状に接合して構成してあり、先のテープガイド５は下ケース１ｂと一体に形成してある。上ケース１ａの前部左右には、上下ケース１ａ・１ｂを接合した状態においてテープガイド５の上端面に接当する前縁壁２２が形成してある。テープカートリッジが不使用状態にあるとき、一対のテープガイド５で支持されたテープ２はポケット６の前面を左右に横切っており、この状態のテープ２を保護するために本体ケース１の前部に保護蓋７を設けている。
【００１８】
保護蓋７は、テープ２の前面側を覆う前蓋８と、ポケット６およびテープ２の上面側を覆う上蓋９と、テープ２の後面および下面側を覆う裏蓋１０とで構成する。前蓋８は、テープ２と平行に設けられる前壁１２と、前壁１２の両側端に連続する左右一対の側壁１３・１３とを一体に備えている。両側壁１３・１３の内面にはそれぞれ支軸が突接してある。支軸を本体ケース１の側壁の前部で軸支することにより、前蓋８は図３に実線で示す閉じ位置と、図３に想像線で示す開放位置との間を揺動できる。前蓋８は図示していないばねで閉じ勝手に付勢してあり、さらに図示していないロック構造で閉じ位置にロック保持される。
【００１９】
前蓋８の開閉揺動に連動して上蓋９を開閉するために、上蓋９の側壁前部の連結軸１５（図３参照）を前壁１２の上部に相対回転自在に連結し、側壁の後部両側に設けたスライドピン１６を本体ケース１の側壁に設けたガイド溝１７で移行案内している（図１参照）。また、裏蓋１０の上端に設けた連結軸１８を上蓋９の内面に相対回転自在に連結し、下端寄り両側に設けたスライドピン１９をポケット６の両側壁に設けたガイド溝２０で移行案内している。このように、前蓋８、上蓋９、および裏蓋１０を連動して開閉可能に構成することにより、保護蓋７を開放した状態においてポケット６の下面および前面を開放して、テープドライブのローディングピンでテープ２をテープカートリッジの前面側へ引き出すことができる。
【００２０】
保護蓋７を構成する前蓋８、上蓋９、および裏蓋１０は、それぞれスチレン系樹脂、例えばＡＢＳ樹脂を素材とする射出成形品で形成されていて絶縁性を備えている。そのため、テープカートリッジを取り扱う際に他の絶縁体と擦れあって保護蓋７の表面に静電気が発生し、テープ２が前蓋８の前壁１２の内面に貼り付くことがある。このように、前壁１２に貼り付いたテープ２が、テープガイド５の上端面と前縁壁２２との接合隙間Ｅに入り込むのを防ぐために、接合隙間Ｅに隣接して規制体２４を設けている。図１に示すように規制体２４は断面が台形のリブ状突起からなり、テープガイド５の上端面を左右に横切る状態で、テープガイド５と一体に形成してある（図４参照）。
【００２１】
上記のように、接合隙間Ｅに隣接して規制体２４を設けると、前蓋８が開放移動するとき、前壁１２の内面に貼り付いたテープ２が上向きに引き出されたとしても、テープ２の上縁を規制体２４で受け止めることができるので、テープ２が接合隙間Ｅに入り込むのを防止でき、したがって、テープ面に折り傷が付いたり、テープ２がジャミング状態に陥るなどのテープ異常を確実に防止できる。
【００２２】
図５（ａ）・（ｂ）は、規制体２４の別の実施例を示す。図５（ａ）では、前縁壁２２の側部に横長リブ状の規制体２４を一体に形成し、規制体２４の下部をテープガイド５の上端面に凹み形成した溝２５に嵌め込むようにした。このように、規制体２４の下部を溝２５に嵌め込むようにすると、接合隙間Ｅを上下方向の隙間とすることができる。したがって、テープ２が接合隙間Ｅに入り込む余地はなく、さらに確実にテープ面の折り傷やジャミングなどのテープ異常を防止できる。また、規制体２４の下面が溝２５の溝底から浮き離れることがあったとしても、テープ２が接合隙間Ｅに入り込むのを確実に防止できる。他は先の実施例と同じであるので、同じ部材に同じ符号を付してその説明を省略する。図５（ｂ）においても同様に扱う。
【００２３】
図５（ｂ）では、前縁壁２２のテープガイド５との接合隙間Ｅに臨んで、三角形状の下向きの規制体２４を形成し、規制体２４をテープガイド５の上端面に形成した凹部２６に嵌め込むようにした。この場合も、図５（ａ）における規制体２４と同様に、接合隙間Ｅを上下方向の隙間として、テープ２が接合隙間Ｅに入り込むのを解消でき、テープ面の折り傷やジャミングなどのテープ異常を確実に防止できる。なお、図５（ｂ）における規制体２４をテープガイド５の上端面に形成し、凹部２６を前縁壁２２の側に形成することができる。
【００２４】
上記の実施例では、テープガイド５を下ケース１ｂと一体に形成したが、その必要はなく、テープガイド５は下ケース１ｂと別体に形成してあってもよい。規制体２４と溝２５とは半円状、あるいは逆三角形状など、任意の断面形状に形成することができる。保護蓋７が前蓋８、上蓋９、裏蓋１０の三者で構成してある場合について説明したが、保護蓋７の構造はテープカートリッジによって異なっているので、実施例で説明した構造には限定しない。要は、ポケット６を横切るテープ２と対向する前壁１２を備えている保護蓋７であればよい。
【図面の簡単な説明】
【００２５】
【図１】保護蓋を開放した状態のテープカートリッジの斜視図である。
【図２】本体ケースとテープが巻かれたリールの分解斜視図である。
【図３】保護蓋を閉じた状態の縦断側面図である。
【図４】図１におけるＡ矢示部の一部を破断した正面図である。
【図５】規制体の別の実施例を示す斜視図である。
【図６】上ケースとテープガイドの従来の接合構造を示す斜視図である。
【図７】図６におけるＢ矢示部の一部を破断した正面図である。
【符号の説明】
【００２６】
１  本体ケース
２  テープ
３  リール
５  テープガイド
６  ポケット
７  保護蓋
２２  上ケースの前縁壁
２４  規制体
【図１】
0004840824.tif 000002
【図２】
0004840824.tif 000003
【図３】
0004840824.tif 000004
【図４】
0004840824.tif 000005
【図５】
0004840824.tif 000006
【図６】
0004840824.tif 000007
【図７】
0004840824.tif 000008